(57)【要約】      （修正有）【課題】肌分析デバイスを設置し設定するために用いるシステムを提供する。【解決手段】デバイスを設置する場所を判定するための基準マークを有する設置補助器；前記デバイスを取り付けるブラケット。前記ブラケットは以下を有する：前記平坦領域に貼り付ける実質的に平坦な少なくとも１つの側面；前記平坦領域に貼り付ける前記側面とは反対の前記ブラケットの側面から延伸するスライド部材；前記平坦領域に貼り付ける前記側面とは反対の前記ブラケットの側面から、前記スライド部材より所定距離だけ離れて延伸する、持ち上がり部材であって、前記持ち上がり部材は、前記持ち上がり部材を収容するように構成された前記デバイスの凹部に対応する、持ち上がり部材。【選択図】図８Ａ
2018108378.tif 000002
【特許請求の範囲】
【請求項１】
平坦領域にデバイスを設置するシステムであって、
前記平坦領域上に前記デバイスを設置する位置をマークするための、前記平坦領域上に配置される基準マークを有する設置補助器、
前記基準マークを用いることにより前記デバイスを前記平坦領域上に取り付けるためのブラケット、
を備え、
前記ブラケットは、
前記基準マークに対して相対的に前記平坦領域に貼り付ける実質的に平坦な少なくとも１つの側面、
前記平坦領域に貼り付ける前記側面とは反対の前記ブラケットの側面から延伸するスライド部材であって、前記スライド部材は、前記スライド部材をガイドして前記デバイスに対して相対的にスライドさせるように構成された前記デバイスの溝部に対応する、スライド部材、
前記平坦領域に貼り付ける前記側面とは反対の前記ブラケットの側面から、前記スライド部材より所定距離だけ離れて延伸する、持ち上がり部材であって、前記持ち上がり部材は、前記持ち上がり部材を収容するように構成された前記デバイスの凹部に対応する、持ち上がり部材、
を備える
ことを特徴とするシステム。
【請求項２】
前記設置補助器は、前記ブラケットに対応する取り外し可能なテンプレートを有するカードボードを備える
ことを特徴とする請求項１記載のシステム。
【請求項３】
前記ブラケットは、前記平坦領域に貼り付ける前記側面とは反対の前記ブラケットの側面に配置された第２スライド部材を備え、
前記第２スライド部材は、前記第２スライド部材をガイドしてスライドさせるように構成された、前記デバイスの第２溝部に対応し、
前記第１スライド部材は前記ブラケットの一方の下方端部に配置され、前記第２スライド部材は前記ブラケットの他方の下方端部に配置されている
ことを特徴とする請求項１記載のシステム。
【請求項４】
前記ブラケットは、前記平坦領域上に前記ブラケットを張り付けるための締付具を受け入れるための複数の穴を有する
ことを特徴とする請求項１記載のシステム。
【請求項５】
前記設置補助器はその表面に、前記平坦領域に取り付ける際に用いる、前記ブラケットの前記複数の穴の位置を示すマーカを備える
ことを特徴とする請求項４記載のシステム。
【請求項６】
前記締付具は複数のねじを含む
ことを特徴とする請求項４記載のシステム。
【請求項７】
前記ブラケットは、前記平坦領域に貼り付ける前記側面とは反対の前記ブラケットの側面に配置された複数の統合セルを備え、
前記複数の統合セルはそれぞれ、前記平坦領域に対して前記ブラケットを押し付けるための柱状押し付けツールを受け入れるように構成されている
ことを特徴とする請求項１記載のシステム。
【請求項８】
前記システムはさらに、前記ブラケットと前記設置補助器に対して付与して前記平坦領域に接着させるための接着材料を備える
ことを特徴とする請求項１記載のシステム。
【請求項９】
前記接着材料は接着テープを含む
ことを特徴とする請求項８記載のシステム。
【請求項１０】
平坦領域にデバイスを設置する方法であって、
設置補助器上のマークを参照して前記設置補助器を平坦領域の位置に配置するステップ、
ブラケットの実質的に平坦な側面を前記平坦領域の部分領域上に貼り付けるステップであって、前記部分領域は前記ブラケットに対応する前記設置補助器のテンプレートによって規定される、ステップ、
前記ブラケットを前記デバイスに取り付けるステップであって、
前記ブラケットのスライド部材を前記デバイスの溝部にガイドしてベースへスライドさせるステップであって、前記スライド部材は、前記平坦領域に貼り付ける側面とは反対の前記ブラケットの側面から延伸している、ステップ、
前記ブラケットの持ち上がり部材を、前記持ち上がり部材を受け入れるための前記デバイスの凹部に収容するステップであって、前記持ち上がり部材は、前記平坦領域に貼り付ける側面とは反対の前記ブラケットの側面から、前記スライド部材より所定距離だけ離れて延伸している、ステップ、
によって実施されるステップ、
を有することを特徴とする方法。
【請求項１１】
前記ブラケットに対応する前記テンプレートは、前記設置補助器から取り外すことができる
ことを特徴とする請求項１０記載の方法。
【請求項１２】
前記設置補助器上の前記マークは、ユーザの視線高さに配置されている
ことを特徴とする請求項１０記載の方法。
【請求項１３】
前記方法はさらに、前記設置補助器を前記平坦領域から取り外すステップを有する
ことを特徴とする請求項１０記載の方法。
【請求項１４】
前記方法はさらに、接着材料を用いて前記設置補助器を前記平坦領域に貼り付けるステップを有する
ことを特徴とする請求項１０記載の方法。
【請求項１５】
前記方法はさらに、
前記平坦領域に貼り付ける前記側面に接着材料を塗布するステップ、
前記デバイスを前記ブラケット上に取り付ける前に前記接着材料が強化されるまで所定時間待機するステップ、
を有することを特徴とする請求項１４記載の方法。
【請求項１６】
前記方法はさらに、前記平坦領域に貼り付ける前記側面とは反対の前記ブラケットの側面に配置された複数の統合セルをそれぞれ押し付けるステップを有する
ことを特徴とする請求項１４記載の方法。
【請求項１７】
前記ブラケットを張り付けるステップは、締付具を用いて、複数の穴を介して前記ブラケットを前記平坦領域に締め付けるステップを有する
ことを特徴とする請求項１０記載の方法。
【請求項１８】
前記締付具は、複数のねじを含む
ことを特徴とする請求項１７記載の方法。
【請求項１９】
前記ブラケットを張り付けるステップはさらに、
前記設置補助器上に設けられ前記ブラケットの前記複数の穴に対応する複数のマーカにしたがって前記平坦領域上にマークするステップ、
前記平坦領域上に形成された前記マークにしたがって前記平坦領域に複数の穴を開けるステップ、
前記ねじを受け入れるための前記平坦領域の前記複数の穴それぞれに取付金具を挿入するステップ、
を有することを特徴とする請求項１８記載の方法。
【発明の詳細な説明】
【技術分野】
【０００１】
＜関連出願に対する相互参照＞
米国特許出願１５／３９７，７００号、発明の名称“ＰＥＲＳＯＮＡＬＩＺＥＤ  ＳＫＩＮ  ＤＩＡＧＮＯＳＩＳ  ＡＮＤ  ＳＫＩＮＣＡＲＥ”の開示の全ては、参照によって本願の開示の一部として組み込まれる。
【０００２】
本開示の主題は、パーソナライズ肌分析を実施するデバイス、およびその肌分析に基づきスキンケアフィードバック情報を提供することに関するものである。
【背景技術】
【０００３】
従来の肌分析においては、専門的肌分析装置を用いて、肌状態の情報を取得することがある。ただし最終的な診断を提供するためには、装置を操作するため高度に訓練されたプロフェッショナル（典型的には皮膚科医）が必要であるのみならず、そのプロフェッショナルによる肌分析結果に対する専門的判断を装置が提示する必要がある。その専門家は、診断結果にしたがって、スキンケア製品または手当を患者に対して推奨することができる。一般人にとっては、従来の肌分析装置は容易にアクセスして設置および操作できるものではなかった。
【発明の概要】
【課題を解決するための手段】
【０００４】
本文書が記載する技術は、パーソナライズ肌分析を実施するデバイス、および関連するスキンケアフィードバックを提供する。本技術は、当該デバイスを含むとともに、家庭／オフィス／選択した場所においてユーザが肌分析を実施するために肌分析デバイスを設置し、スキンケアまたは手当のフィードバックまたはアシストを受ける方法を含む。本開示の主題は肌分析デバイスを設置することに限定されるものではなく、鏡や壁のような平坦領域上に取り付けることを意図しているその他デバイスを含む。
【０００５】
１側面において、平坦領域にデバイスを設置するシステムを開示する。前記システムは以下を備える：前記デバイスを設置する場所を判定するための基準マークを有する設置補助器；前記デバイスを取り付けるブラケット。前記ブラケットは以下を有する：前記平坦領域に貼り付ける実質的に平坦な少なくとも１つの側面；前記平坦領域に貼り付ける前記側面とは反対の前記ブラケットの側面から延伸するスライド部材であって、前記スライド部材は、前記スライド部材をベースにスライドさせる前記デバイスの溝部に対応する、スライド部材；前記平坦領域に貼り付ける前記側面とは反対の前記ブラケットの側面から、前記スライド部材より所定距離だけ離れて延伸する、持ち上がり部材であって、前記持ち上がり部材は、前記持ち上がり部材を収容するように構成された前記デバイスの凹部に対応する、持ち上がり部材。
【０００６】
別側面において、平坦領域にデバイスを設置する方法を開示する。前記方法は以下を含む：設置補助器上のマークを参照して前記設置補助器を平坦領域の位置に配置するステップ；ブラケットの実質的に平坦な側面を前記平坦領域の部分領域上に貼り付けるステップであって、前記部分領域は前記ブラケットに対応する前記設置補助器のテンプレートによって規定される、ステップ；前記ブラケットのスライド部材を前記デバイスの溝部にガイドしてベースへスライドさせることにより、前記ブラケットを前記デバイスに取り付けるステップであって、前記スライド部材は、前記平坦領域に貼り付ける側面とは反対の前記ブラケットの側面から延伸している、ステップ；前記ブラケットの持ち上がり部材を、前記持ち上がり部材を受け入れるための前記デバイスの凹部に収容するステップであって、前記持ち上がり部材は、前記平坦領域に貼り付ける側面とは反対の前記ブラケットの側面から、前記スライド部材より所定距離だけ離れて延伸している、ステップ。
【０００７】
別側面において、肌分析デバイスをモバイルデバイス経由で設定するコンピュータ実装した方法を開示する。前記コンピュータ実装した方法は以下を有する：肌分析を実施し肌情報を管理するアプリケーションを前記モバイルデバイス上にインストールするステップ；ユーザのアカウント情報を用いて前記アプリケーションにサインインするステップ；前記モバイルデバイスを用いて、前記肌分析デバイスがブロードキャストする第１無線ネットワークを発見するステップ；前記モバイルデバイスを前記第１無線ネットワークに参加させることにより前記モバイルデバイスを前記肌分析デバイスと接続するステップ。
【０００８】
上記およびその他の側面とその実装例は、以下の図面、説明、および特許請求範囲により詳細に記載されている。
【図面の簡単な説明】
【０００９】
【図１Ａ】肌分析システムの概略アーキテクチャを示す。
【００１０】
【図１Ｂ】無線ルータとモバイルデバイスに接続した肌分析デバイスの概略図を示す。
【００１１】
【図２Ａ】肌分析デバイスの正面図と背面図を示す。
【００１２】
【図２Ｂ】肌分析デバイスの斜視図を示す。
【００１３】
【図３Ａ】肌分析デバイス、電源、および肌分析デバイスを設置するためのブラケットの例を示す。
【００１４】
【図３Ｂ】肌分析デバイスを設置するためのアクセサリを示す。
【００１５】
【図４Ａ−Ｂ】肌分析デバイスを鏡上に設置するプロセス例を示す。
【図４Ｃ−Ｄ】肌分析デバイスを鏡上に設置するプロセス例を示す。
【００１６】
【図５】肌分析デバイスを壁上に設置するステップ例を示す。
【００１７】
【図６Ａ−Ｃ】肌分析デバイスをコンクリート壁上に設置するプロセス例を示す。
【００１８】
【図７Ａ−Ｃ】肌分析デバイスを乾式壁上に設置するプロセス例を示す。
【００１９】
【図８Ａ】平坦領域上に取り付けるためのブラケットと肌分析デバイスの構造例を示す。
【００２０】
【図８Ｂ】肌分析デバイスをブラケットに取り付けて電源を入れるプロセス例を示す。
【００２１】
【図９】肌分析デバイスを設置する方法例のフローチャートを示す。
【発明を実施するための形態】
【００２２】
人の肌状態は、人の外見に多大な影響を与え、健康状態を反映している。したがって人々は、より良く見える肌を得ることを望んで、スキンケア製品に多大な時間と資金を投資する。スキンケアは、世界市場で年１０００億ドルを超える巨大産業である。スキンケアへの関心とスキンケア意識は、この産業の背景となる原動力である。現在人々は、多機能製品にはもはや満足しておらず、肌状態の具体的な課題を識別するためのより有用でより良くより便利なツールを求めるようになっており、自身の具体的な肌状態をターゲットとするスキンケア製品を選択するようになっている。
【００２３】
専門的肌分析データは、人々が自身の肌状態を理解するための有用な情報である。しかし専門的肌分析データを得ることは、通常は皮膚科医のオフィスを何度も訪問することになるので、面倒な場合がある。現代社会において、人々はスケジュールが忙しいので、そのような情報に対して容易にアクセスすることはできない。さらに、個人がそのような専門的分析データをトラッキングおよび管理するのは困難である場合がある。本文書が開示するシステムとデバイスを実装して、人々が自身の肌状態を容易に理解し、管理し、改善することをアシストできる。本技術の技術的側面の一部は、米国特許出願１５／３９７，７００、発明の名称“ＰＥＲＳＯＮＡＬＩＺＥＤ  ＳＫＩＮ  ＤＩＡＧＮＯＳＩＳ  ＡＮＤ  ＳＫＩＮＣＡＲＥ”に開示されている。同出願の全開示内容は、参照により本願の開示の一部として組み込まれる。
【００２４】
本開示は、異なるタイプの平坦領域または平面上に肌分析デバイスを設置する技術、システム、およびデバイスを含む。図１Ａは、肌分析システム１００の概略アーキテクチャを示す。肌分析デバイス１０１は、例えばユーザのベッドルームやバスルームにセットアップすることができる。デバイス１０１は、ユーザとやり取りして肌分析を実施するためのグラフィカルユーザインターフェースを表示するように動作することができる。これに代えてディスプレイをＯＦＦし、ユーザの画像を反射するミラーとして動作させることもできる。肌分析デバイス１０１は、ネットワークを介してリモートサーバ１０３（例えばクラウドサービスを提供するもの）と無線接続しており、例えばユーザの肌プロファイルに対応するデータ、推奨するスキンケア製品、スキンｔｉｐｓ、などのような情報を送受信する。情報はネットワークを介して、リモートサーバ１０３と接続されたデータベース１０２に格納される。データベース１０２とリモートサーバ１０３により、肌分析デバイス１０１やモバイルデバイス１０５などのその他ポータブルデバイス（例えばスマートフォンやタブレット）は、情報を画面表示することができる。
【００２５】
実施形態において、肌分析デバイス１０１は、無線ルータを介してリモートサーバ１０３と無線通信する。図１Ｂは、肌分析デバイス１０３とネットワーク１０９との間の無線通信を確立するため、肌分析デバイス１０１がローカル無線ネットワーク（例えばＷｉＦｉルータ１０７によって提供される）の動作範囲内に配置されていることを示す。モバイルデバイス１０５は、初期セットアップのため、肌分析デバイス１０１の近傍に配置することができる。
【００２６】
図２Ａは、肌分析デバイス１０１の正面図と背面図の例を示す。肌分析デバイス１０１は、高解像度カメラモジュール２０１を備える。高解像度カメラモジュール２０１は、フロントカバー２０２を備える。フロントカバー２０２は、カメラモジュール２０１に取り付けられたリング２０３を回転させることにより、手動で閉じるように構成されている。実施形態において、高解像度カメラモジュール２０１を用いて画像を得るとき、フロントカバー２０２を閉じて不要な背景を排除することができる。ユーザのプライバシーを保護し、および／または偶発的な画像撮影を避けるため、フロントカバー２０２を完全に閉じることもできる。
【００２７】
実施形態において、周辺メイクアップ照明２０３の２つのアレイが、肌分析デバイス１０１の反射ディスプレイ２０４に配置され、アンビエント照明を提供する。デバイス１０１はさらに、入力センサの一部として様々なセンサを備える。例えば動きセンサ２０５、自動起動センサ２０７、温度および湿度センサ２０９である。さらにデバイス１０１は、ユーザからの音声入力を捉えるマイクロフォンモジュール２１１、およびメディアコンテンツを再生するスピーカモジュール２１３を備えることもできる。
【００２８】
肌分析デバイス１０１は、タッチキーを備え、ユーザがグラフィックユーザインターフェースをナビゲートしてデバイス１０１を操作するためのショートカットを提供することができる。実施形態においてタッチキーは、図２Ａに示すようにデバイス１０１の側面または背面に配置される。ショートカットとしては例えば以下が挙げられる：ホームページへ直接訪問する（Ｈｏｍｅ２１５）；ディスプレイをＯＮ／ＯＦＦする（Ｍｉｒｒｏｒ２１７）；設定メニューを表示する（Ｍｅｎｕ２１９）；現在のページを上下にナビゲートする（２２１と２２３）。
【００２９】
図２Ｂは、肌分析デバイス１０１の斜視図の例である。この実施形態において、デバイス１０１はさらに、電源ボタン２２５、ＳＤカードスロット２２７（ＳＤカードを挿入して肌分析画像を格納する領域を増やす）、ＵＳＢスロット２２９（周辺デバイスと接続する）、耐水カバー２３１（デバイス１０１に水がかからないようにする、例えばバスルームに設置するときの水しぶき）、電源ジャック２３３（電力供給を受け取ってデバイス１０１を充電する）、を備える。
【００３０】
図３Ａは、肌分析デバイス１０１を設置するための部品の例を示す。以下が含まれる：設置する肌分析デバイス１０１；肌分析デバイス１０１に電力を供給する電源コネクタ３０１；肌分析デバイス１０１を平坦領域または面（例：鏡や壁）に取り付けるための設置ブラケット３０３。図３Ｂは、肌分析デバイス１０１を設置するためのアクセサリの例を示す。以下が含まれる：ねじ３０５のセット；壁面取付金具３０７のセット；１以上の接着テープ３０９；ゴム製押し付けツール３１１；カードボードアシスタ３１３。これらアクセサリを用いて肌分析デバイス１０１を設置する手順を、図４Ａ〜図７Ｃを用いてさらに詳しく説明する。
【００３１】
肌分析デバイス１０１は、鏡、壁、その他の面または平坦領域に掛けられるように設計されている。図４Ａ〜７Ｃは、デバイス１０１を鏡上、コンクリート壁上、および乾式壁上に設置する設置プロセスの例をそれぞれ示す。同様の技術は、その他タイプの面または平坦領域に対して適用することもできる。
【００３２】
図４Ａ〜４Ｄは、デバイス１０１を鏡上に設置する設置プロセス例を示す。図４Ａを参照する。肌分析デバイス１０１を鏡上に設置するため、ユーザが図３Ｂに示すような接着テープ３０９の背面部分を取り除くことにより、接着テープ３０９をブラケット３０３の矩形領域４０１に貼り付ける。図４Ｂを参照する。カードボードアシスタ３１３が鏡４０９に取り付けられ、これにより鏡４０９上に肌分析デバイス１０１を取り付ける位置を決定する。具体的には、カードボードアシスタ３１３上のライン４０３を、ユーザの視線高さ辺りに配置することが示唆されている。ユーザはカードボードアシスタ３１３上の接着テープ４０５の背面ストリップを取り除き、ライン４０３によって参照される位置において、鏡４０９に対して取り付ける。実施形態においてカードボードアシスタ３１３は、ブラケットテンプレート４０７を備える。ブラケットテンプレート４０７は、カードボードアシスタ３１３の残部領域から取り外すことができる。実装例としてブラケットテンプレート４０７は、カードボードアシスタ３１３を鏡４０９に対して貼り付ける前に、取り外す。
【００３３】
図４Ｃは、接着テープ３０９の背面残部が取り除かれ、接着テープ３０９によってブラケット３０３が鏡４０９上に張り付けられた様子を示す。具体的には、ブラケット３０３は、除去されたブラケットテンプレート４０７に対応する鏡４０９の領域に張り付けられる。ゴム製押し付けツール３１１（図３Ｂに示すもの）を用いて、接着テープ３０９をより確実に接着させることができる。例えばゴム製押し付けツール３１１をブラケット３０３の各正方形セルに対して押し込み、短時間強く押し付ける（例えば３秒間）。図４Ｃに示す具体例において、ブラケット３０３は１２個以上の正方形セル４０１を備える。次に図４Ｄに示すように、肌分析デバイス１０１をブラケット３０３に取り付ける前に、ユーザは接着テープ３０９が強力になるまでの時間、待機する。実装例において待機時間は２４時間である。
【００３４】
これに代えて肌分析デバイス１０１は、壁上に設置することができる。図５〜７Ｃは、デバイス１０１をコンクリート壁上または乾式壁上に設置するプロセス例を示す。図５は図４Ｂの設置プロセスと同様に、ユーザがカードボードアシスタ３１３上のライン４０３をユーザ自身の視線高さ周辺に揃えることにより、肌分析デバイス１０１を壁上に設置する適切な位置を決定する様子を示す。
【００３５】
図６Ａ〜６Ｃは、肌分析デバイス１０１をコンクリート壁上に設置する残りステップを示す。図６Ａにおいて、ユーザはカードボードアシスタ３１３上のマーク６０１を用いて、取り付け穴６０３を掘る場所を決定する。実装例としてユーザは、まず背面ストリップ４０５をカードボードアシスタ３１３から取り外し、これを壁上に一時的に貼り付ける。これによりユーザは、取り付け穴６０３を壁上に容易にマークすることができる。取り付け穴６０３をマークした後、カードボードアシスタ３１３は壁から完全に取り外すことができる。ユーザは次に、マーク（図示せず）に基づき壁上に取り付け穴６０３を開ける。壁上に取り付け穴６０３を開けた後、ユーザは壁面取付金具３０７（図３Ｂに示すもの）を取り付け穴６０３内に配置する。ユーザは次に、ブラケットに形成された穴６０６を壁上で取付金具３０７と揃え、ねじ３０５を用いてブラケット３０３を壁にねじ付けする。この様子を図６Ｂに示す。図６Ｃを参照する。ブラケット３０３は、穴６０６を介して、ねじ３０５によって壁に貼り付けられる。ブラケット３０３を張り付けるために、ねじ以外の締付具を用いてもよい。例えば釘、留具、ボルト／ナットである。
【００３６】
図７Ａ〜７Ｃは、肌分析デバイス１０１を乾式壁上に設置するプロセスを示す。これは図６Ａ〜６Ｃと同様のものである。図７Ａを参照する。ブラケットテンプレート４０７はカードボードアシスタ３１３から取り除かれる。実装例として、ユーザは背面ストリップ４０５をカードボードアシスタ３１３上の接着テープから取り外し、カードボードアシスタ３１３を乾式壁上に一時的に貼り付ける。図７Ｂは、ブラケット３０３を壁上の除去されたブラケットテンプレート４０６に対応する領域に配置する様子を示す。図７Ｃは、穴６０６を介して、ねじ３０５を用いてブラケット３０３を乾式壁上に貼り付ける様子を示す。図７Ｃに示すように、カードボードアシスタ３１３は乾式壁から取り外すことができる。
【００３７】
ブラケット３０３を平坦領域（例えば鏡、壁、その他タイプの上述した面）上に固定した後、肌分析デバイス１０１をブラケット３０３に取り付ける。図８Ａは、実施形態において、ブラケット３０３が２つのスライダ８０１と１つの取付タブ８０３を備えることを示す。２つのスライダ８０１は、ブラケット３０３の２つの下方角部から延伸し、その位置は肌分析デバイス１０１の背面に形成されスライダを受け取るための２つの溝８０５に対応する。取付タブ８０３は、ブラケット３０３の上方角部から延伸し、その位置は肌分析デバイス１０１の背面に形成された凹部８０７に対応する。スライダ８０１、取付タブ８０３、溝８０５、および凹部８０７により、ブラケット３０３と肌分析デバイス１０１を互いに嵌め合わせて固定することができる。図８Ｂは、ブラケット３０３上に肌分析デバイス１０１を取り付けるために、ユーザが肌分析デバイス１０１を両手で保持し、スライダ８０１を溝８０５のベースに下降させてスライダ８０１が収容されるようにする様子を示す。このとき、取付タブ８０３を凹部８０７に配置して、ブラケット３０３を固定する。ユーザは次に、電源コネクタ３０１（図３Ａに示すもの）を用いて、電源ジャック２３３（図２Ｂに示すもの）を介して肌分析デバイス１０１を電源に接続する。
【００３８】
図９は、肌分析デバイスを設置する方法９００のフローチャートを示す。方法９００は以下を含む：ステップ９０２において、設置補助器上に設けられたマークを参照して、前記設置補助器を平坦領域の位置に配置し、マークがユーザの視線高さにくるようにする；ステップ９０４において、ブラケットの実質的に平坦な側面を、前記平坦領域の部分領域上に貼り付ける。前記部分領域は、前記ブラケットに対応する前記設置補助器のテンプレートによって規定される；ステップ９０６において、前記ブラケットのスライド部材を前記デバイスの溝部へガイドしてベースにスライドさせることにより、前記デバイスを前記ブラケット上に取り付ける。前記スライド部材は、前記ブラケットの前記平坦領域に貼り付けた側面とは反対の側面から延伸している；ステップ９０８において、前記ブラケットの持ち上がり部材を、前記持ち上がり部材を受け入れるための前記デバイスの凹部に収容することにより、前記デバイスを前記ブラケット上に取り付ける。前記持ち上がり部材は、前記ブラケットの前記平坦領域に貼り付ける側面とは反対の側面から、前記スライド部材より所定距離だけ離れて延伸している。
【００３９】
本特許文書は多くの具体例を含むが、これらは特許請求する本発明の範囲を限定するものとして解釈すべきではない。むしろ特定発明の特定実施形態に固有の特徴部分を記載しているものとして解釈すべきである。本特許文書が個別の実施形態の文脈において記載している特徴部分は、単一の実施形態の組み合わせにおいて実装することもできる。反対に単一の実施形態の文脈において記載している多くの特徴部分を、複数の実施形態に分けてまたはその組み合わせごとに分けて実装することもできる。さらに、上記特徴部分は特定の組み合わせにおいて動作するように記載し、そのように特許請求範囲に記載している場合があるが、特許請求範囲の組み合わせのうち１以上を組み合わせから除外することができる場合もあり、特許請求範囲の組み合わせはサブコンビネーションまたはサブコンビネーションの変形物を対象とする場合もある。
【００４０】
同様に、動作は図面において特定順序で記載しているが、このことは、所望の結果を得るために、その動作が図示した特定順序で実施する必要があるものとして解釈すべきではなく、また全ての動作を実施する必要があるものとして解釈すべきではない。さらに、本特許文書において記載している実施形態のシステムコンポーネントが分離していることは、全ての実施形態においてそのように分離することが必要であるものとして解釈すべきではない。
【００４１】
いくつかの実装例と例示のみを記載した。その他の実装例、拡張、変形物を、本特許文書が記載し図示するものに基づいて、構成することができる。
【図１Ａ】
2018108378.tif 000003
【図１Ｂ】
2018108378.tif 000004
【図２Ａ】
2018108378.tif 000005
【図２Ｂ】
2018108378.tif 000006
【図３Ａ】
2018108378.tif 000007
【図３Ｂ】
2018108378.tif 000008
【図４Ａ−Ｂ】
2018108378.tif 000009
【図４Ｃ−Ｄ】
2018108378.tif 000010
【図５】
2018108378.tif 000011
【図６Ａ−Ｃ】
2018108378.tif 000012
【図７Ａ−Ｃ】
2018108378.tif 000013
【図８Ａ】
2018108378.tif 000014
【図８Ｂ】
2018108378.tif 000015
【図９】
2018108378.tif 000016
【外国語明細書】
2018108378000001.pdf